(57)【要約】【課題】  従来の現場打ちコンクリート擁壁及び従来のブロック積み擁壁の各欠点を改善すること。【解決手段】  土留め用擁壁において、背面側に現場打ちコンクリートによるコンクリート壁体１と、前面側に多数個のプレキャストコンクリートブロック（成型ブロック）２１を左右及び上下に組付けてなるブロック積み壁体２とを前後に一体結合させた状態で構築していることにより、現場打ちコンクリート擁壁１及びブロック積み擁壁２の各欠点を補完した高強度の擁壁を提供できる。又、現場打ちコンクリート壁体１中に組鉄筋１１を埋設していることにより、土圧力によってコンクリート壁体１側に受ける伸長作用に対して該組鉄筋１１で補強し得るようにしている。【選択図】  図１
2006283292.tif 000002
【特許請求の範囲】
【請求項１】
土留め用擁壁において、背面側に現場打ちコンクリートによるコンクリート壁体（１）と、前面側に多数個のプレキャストコンクリートブロック（２１）を左右及び上下に組付けてなるブロック積み壁体（２）とを前後に一体結合させた状態で構築しているとともに、前記コンクリート壁体（１）中に組鉄筋（１１）を埋設していることを特徴とする擁壁構造。
【請求項２】
擁壁構築場所において、切土部（３）の所定位置にプレキャストコンクリートブロック（２１）を設置し、該プレキャストコンクリートブロック（２１）の背面側に所定間隔をもってコンクリート型枠の片面となる背面側枠板（４）を設置し、前記プレキャストコンクリートブロック（２１）と前記背面側枠板（４）との間の空所（５）に組鉄筋（１１Ａ）を設置した後、前記空所（５）に生コンクリート（１２ａ）を充填し、該生コンクリート（１２ａ）が固化した後、前記背面側枠板（４）を取外し、順次同様に所定高さまで擁壁を構築することを特徴とする擁壁構築工法。
【発明の詳細な説明】
【技術分野】
【０００１】
本願発明は、道路側面や造成土地側面あるいは山肌等における土留め用の擁壁構造及び擁壁構築工法に関するものである。
【背景技術】
【０００２】
この種の土留め用擁壁として、例えば、もたれ式擁壁やＬ型擁壁や逆Ｔ型擁壁等が一般に採用されている。又、これらの擁壁は、生コンクリートを現場打ちして構築したもの（例えば図６に示す第１従来例）や、工場生産されたプレキャストコンクリートブロックを左右及び上下に組付けて構築したもの（例えば図７、図８に示す第２従来例）等がある。尚、以下の説明では、プレキャストコンクリートブロックを単に成型ブロックということがある。
【０００３】
図６に示す第１従来例の擁壁は、生コンクリートを現場打ちして構築したもたれ式擁壁である。この図６のもたれ式擁壁は、擁壁構築現場において型枠を組み（型枠内には組鉄筋１１１が配設されている）、該型枠内に生コンクリートを充填し、該生コンクリートが固化した後に型枠を解体することで構築されている（コンクリート壁体１０１が擁壁となる）。尚、この種の現場打ちもたれ式擁壁としては、例えば特開平８−２４６４７８号公報（特許文献１）に示されるものがある。
【０００４】
図６に示すような現場打ち擁壁では、例えば１ｍ程度の高さずつ数回に分けて構築していくが、その際、第１段高さの型枠を組立て、該型枠内に生コンクリートを充填し、該生コンクリートが固化した後に型枠を解体し、続いて同様に第２段、第３段・・最終段までコンクリート壁体を構築していく。尚、この種の現場打ち擁壁では、コンクリート壁体１０１が継ぎ目のない状態で連続している。
【０００５】
又、この種の擁壁には、その壁体の背面側に大きな土圧力が加わる。そして、図６に示すように現場打ちコンクリート壁体１０１からなる擁壁では、壁体の背面側に大きな土圧力Ｆが加わると、該コンクリート壁体１０１を鎖線図示（符号１０１′）するように前面側に撓ませるような作用が働く（尚、符号１０１′に示す鎖線図示状態は、説明上、誇大表示している）。このとき、コンクリート壁体１０１は、壁厚さ中央部から背面１０１ａ側の部分に伸長作用が働く一方、壁厚さ中央部から前面１０１ｂ側の部分に圧縮作用が働く。尚、現場打ちコンクリート擁壁では、コンクリート壁体１０１全体が継ぎ目なしに連続しており、後述のブロック積み壁体のように各成型ブロックが位置ずれするという問題は起こらない。
【０００６】
ところで、この種のコンクリート壁体１０１では、圧縮作用（擁壁前面１０１ｂ側）に対しては比較的強度が強いが、伸長作用（擁壁背面１０１ａ側）に対しては比較的強度が弱いとされている。そこで、この種の現場打ち擁壁では、コンクリート壁体１０１中の背面側寄りに組鉄筋１１１を配して、伸長作用に対する補強を行っている。
【０００７】
他方、図７及び図８に示す第２従来例の擁壁は、多数個の成型ブロック１２１，１２１・・を左右及び上下に組付けて構築されている（ブロック積み壁体１０２が擁壁となる）。この図７及び図８に示すブロック積み壁体１０２の各成型ブロック１２１としては、平面四角形で内部空所を有する箱型のものが使用されている。尚、この種のブロック積み壁体１０２に使用されている箱型の成型ブロック１２１としては、例えば特開２００４−７６２９６号公報（特許文献２）に示されるものがある。
【０００８】
ところで、図７及び図８に示すブロック積み壁体１０２からなる擁壁では、擁壁背面側に土圧力Ｆが加わっても前面側への撓みはほとんど起こらないが、左右・上下に隣接する各成型ブロック１２１，１２１間の結合強度を強くする（各成型ブロック同士が位置ずれしないようにする）必要がある。そのための結合手段としては、例えば次のように構成されたものがある。即ち、上下に積層される両成型ブロック１２１，１２１においては、図７に示すように成型ブロック１２１の上面に上向きの凸部と下面に上向きの凹部をそれぞれ設けて、下段側成型ブロック１２１の上面の凸部と上段側成型ブロック１２１の下面の凹部とを凹凸嵌合（符号１２２）させている。他方、左右に隣接する両成型ブロック１２１，１２１においては、図８に示すように成型ブロック１２１の一方の側面に縦凸条と他方の側面に縦凹溝をそれぞれ設けて、左右の両成型ブロック１２１，１２１を側面接合部において凹凸嵌合（符号１２３）させている。又、図７及び図８の擁壁では、上下に積層された各成型ブロック１２１，１２１・・の内部空所が上下に連続しており、その上下に連続している内部空所内に鉄筋１２４，１２４・・を配設するとともにコンクリート１２５を充填して補強している。
【０００９】
【特許文献１】特開平８−２４６４７８号公報
【特許文献２】特開２００４−７６２９６号公報
【発明の開示】
【発明が解決しようとする課題】
【００１０】
ところが、上記図６（第１従来例）の現場打ちコンクリート擁壁では、背面側に加わる土圧力Ｆによりコンクリート壁体１０１を前面側に撓ませる作用が働いて、壁厚中心部から背面１０１ａ側半分に伸長作用が働き（コンクリート壁体は伸長作用に弱いとされている）、該背面１０１ａ側の強度を強くするために組鉄筋１１１で補強したり、壁体厚さを厚くする必要があった。又、この種の現場打ちコンクリート擁壁では、コンクリート壁体１０１を構築するのに、専用の型枠が必要であり且つ１段高さ（例えば１ｍ高さ程度）ずつ型枠の組立・解体作業を繰り返して所定高さまでコンクリート壁体１０１を構築する必要があるので、型枠の組立・解体作業が繁雑であるとともに、コンクリート壁体１０１の高さが高い（例えば１０ｍ超のものもある）と型枠の組立・解体作業に危険を伴う（高所作業が必要である）という問題があった。
【００１１】
他方、上記図７及び図８（第２従来例）のブロック積み擁壁では、多数個の成型ブロック１２１，１２１・・を左右・上下に組付けることでブロック積み壁体１０２からなる擁壁を構築できるので、該擁壁を比較的簡単且つ短期間で構築し得るという利点があるものの、各成型ブロック１２１，１２１・・が継ぎ目を有して結合されているので、土圧力Ｆに対して各成型ブロックの結合強度が比較的弱いという難点がある。又、図７及び図８に示すブロック積み擁壁では、上下・左右に隣接する両成型ブロック１２１，１２１の結合強度を増強するために、上下・左右に隣接する両成型ブロックをそれぞれ凹凸嵌合（図７の符号１２２、図８の符号１２３）により相互に連結させているが、このように成型ブロック１２１に凹凸嵌合部を成形するには、該成型ブロック１２１の形状が複雑になり（型枠形状が複雑になる）、製造コストが高くなるという問題があった。又、隣接する両成型ブロック１２１，１２１を凹凸嵌合によって結合させたものでは、ある程度の強度アップ（耐土圧力）を達成し得るものの、さらに大きな耐土圧力を要求される擁壁では、成型ブロック１２１を大型化したり、鉄筋１２４や充填コンクリート１２５等による補強も必要となり、強度面での信頼性を得るためにはコストアップにつながる各種の補強手段を採用する必要がある。
【００１２】
そこで、本願発明は、上記した各従来例の擁壁（現場打ちコンクリート壁体及びブロック積み壁体）における各種問題点に鑑み、高強度で且つ比較的低コストで構築できる擁壁構造及び擁壁構築工法を提供することを目的としている。
【課題を解決するための手段】
【００１３】
本願発明は、上記課題を解決するための手段として次の構成を有している。
【００１４】
本願請求項１の発明
本願請求項１の発明は、例えば道路側面や造成土地側面あるいは山肌等における土留め用の擁壁構造を対象にしている。
【００１５】
そして、この請求項１の擁壁構造は、背面側に現場打ちコンクリートによるコンクリート壁体と、前面側に多数個のプレキャストコンクリートブロック（以下、これを単に成型ブロックという）を左右及び上下に組付けてなるブロック積み壁体とを前後に一体結合させた状態で構築しているとともに、現場打ちのコンクリート壁体中に組鉄筋を埋設している。
【００１６】
背面側のコンクリート壁体は、壁体中に組鉄筋を埋設した鉄筋コンクリート壁体であり、土圧力に対する支持強度を増強している。
【００１７】
前面側のブロック積み壁体を構築する成型ブロックとしては、比較的簡単な構造（シンプルな形状）のものを採用できる。例えば、成型ブロックとして、前壁の後面側に単に控壁を設けただけのもの、単なる四角形箱状のもの、中身の詰まったブロック状のもの、等のシンプルなものでよい。
【００１８】
ところで、現場打ちコンクリート壁体は、土圧力による撓みが起こり得る性質を有しているが継ぎ目がないので部分的に前後に位置ずれすることはない。他方、ブロック積み壁体は、多数個の成型ブロックを左右・上下に接合させたものであるから前後に位置ずれし易い性質を有しているが土圧力による撓みが起こりにくい性状となっている。
【００１９】
そして、この請求項１の擁壁構造では、背面側の現場打ちコンクリート壁体と前面側のブロック積み壁体とを前後に一体結合させているので、擁壁背面側の土圧力を現場打ちコンクリート壁体で受け止める一方、該コンクリート壁体をブロック積み壁体でバックアップしている。
【００２０】
又、この請求項１の擁壁構造でも、土圧力により擁壁に対して撓ませるような作用が働き、擁壁背面側（現場打ちコンクリート壁体部分）に伸長作用を受けるが、擁壁背面側となる現場打ちコンクリート壁体中には組鉄筋を埋設しているので、土圧力によるコンクリート壁体に対する伸長作用を該組鉄筋で負担させることができる。
【００２１】
本願請求項２の発明
本願請求項２の発明は、上記請求項１の擁壁の構築工法を対象にしている。
【００２２】
そして、この請求項２の擁壁構築工法は、擁壁構築場所において、切土部の所定位置に成型ブロック（プレキャストコンクリートブロック）を設置し、該成型ブロックの背面側に所定間隔をもってコンクリート型枠の片面となる背面側枠板を設置し、成型ブロックと背面側枠板との間の空所に組鉄筋を設置した後、前記空所に生コンクリートを充填し、該生コンクリートが固化した後、背面側枠板を取外し、順次同様に所定高さまで擁壁を構築するものである。
【００２３】
この請求項２の擁壁構築工法では、背面側の現場打ちコンクリート壁体と前面側のブロック積み壁体とが一体結合され、且つコンクリート壁体中に組鉄筋が埋設された状態で構築される。又、前面側のブロック積み壁体を構成する各成型ブロックは、生コンクリート充填用の型枠の一部として利用されている。
【００２４】
ところで、背面側枠板は、切土部の切土面に近い位置に組立てられるので、擁壁上端寄り位置であっても背面側枠板の組立てが高所作業にならない。他方、現場打ちコンクリート壁体の型枠構築時に、成型ブロックが型枠の前面側枠板として利用されるが、この成型ブロックは、クレーンで吊下げて所定位置に設置されるので、前面側枠板組立て用の足場工事が不要となる。
【発明の効果】
【００２５】
本願請求項１の発明の効果
この請求項１の擁壁構造では、背面側の現場打ちコンクリート壁体と前面側のブロック積み壁体とを前後に一体結合させている。従って、現場打ちコンクリート壁体の性質の欠点（土圧力で撓み易い）をブロック積み壁体の利点（反り返りにくい）で補完できる一方、ブロック積み壁体の欠点（継ぎ目があるので位置ずれし易い）を現場打ちコンクリート壁体の利点（継ぎ目がないので位置ずれしない）で補完できるので、高強度の擁壁となるという効果がある。
【００２６】
又、背面側の現場打ちコンクリート壁体で土圧力を支持しているので、前面側のブロック積み壁体に使用される成型ブロック同士は、さほど強固に連結させなくても位置ずれすることがなく、従って該成型ブロックとして比較的単純形状のもの（製造コストが安価である）を使用することができるという効果がある。
【００２７】
さらに、本願の擁壁構造でも、土圧力によって擁壁を撓ませるような作用（擁壁背面側を伸長させる作用）を受けるが、擁壁背面側となる現場打ちコンクリート壁体中に組鉄筋を埋設しているので、擁壁背面側に受ける伸長作用に対して該組鉄筋で補強できるという効果もある。
【００２８】
本願請求項２の発明の効果
この請求項２の擁壁構築工法では、背面側に現場打ちコンクリート壁体と前面側にブロック積み壁体とが一体結合され、且つ現場打ちコンクリート壁体中に組鉄筋を埋設した状態の擁壁、即ち上記請求項１の擁壁を構築することができる。
【００２９】
又、前面側のブロック積み壁体を構成する各成型ブロックを、生コンクリート充填用の型枠の前面側枠板として利用できるので、型枠の前面側枠板が不要になる（型枠コストが安価になる）とともに、該前面側枠板の組立・分解作業も不要になる（工期を短縮できる）という効果がある。
【００３０】
さらに、背面側枠板は、切土部の切土面に近い位置に組立てられるので、擁壁上端寄り位置であっても背面側枠板の組立てが高所作業にならず、他方前面側枠板として利用される各成型ブロックは、クレーンで吊下げて所定位置に設置するので、型枠組立時に作業員による高所作業が不要となり、高所からの転落等の危険な作業がなくなるという効果がある。
【実施例】
【００３１】
図１〜図５を参照して本願実施例の擁壁構造及び擁壁構築工法を説明すると、図１及び図２には第１実施例の擁壁構造を示しており、図３には第１実施例の擁壁構造の構築方法を示しており、図４及び図５にはそれぞれ第２実施例及び第３実施例の擁壁構造を示している。又、これらの実施例では、擁壁としてもたれ式擁壁を採用している。
【００３２】
図１及び図２に示す第１実施例の擁壁構造は、基礎コンクリート６上に、背面側に現場打ちコンクリートによるコンクリート壁体１と、前面側に多数個の成型ブロック（プレキャストコンクリートブロック）２１，２１・・を左右及び上下に組付けてなるブロック積み壁体２とを前後に一体結合させた状態で構築している。
【００３３】
背面側のコンクリート壁体１は、鉄筋コンクリート製で、コンクリート１２中に組鉄筋１１を埋設して構築されている。
【００３４】
前面側のブロック積み壁体２を構築している成型ブロック２１は、この第１実施例では、図２に示すように前壁２２の後面に間隔をもって２つの控壁２３，２３を一体成形したものが使用されている。従って、この成型ブロック２１は、比較的シンプルな形状となっており、製造時の型枠もシンプルなもの（安価な型枠）を使用できる。尚、成型ブロック２１の形状・大きさきは、擁壁の用途、設置場所、必要強度等によって適宜のものを採用できるが、図１及び図２の成型ブロック２１では、前壁２２の大きさが高さ５０〜１００cm×左右幅１００〜２００cm、控壁２３の突出長さが５０〜１００cm程度のものが使用されている。
【００３５】
そして、各成型ブロック２１，２１・・は、図２に示すように順次左右に接合させるとともに、図１に示すように上下に所定個数を積み重ねてブロック積み壁体２を構成している。
【００３６】
コンクリート壁体１の組鉄筋１１は、この第１実施例では、縦横の格子状部１１ａと左右に所定間隔をもって前方に突き出した前方突き出し部１１ｂとを有している。格子状部１１ａは、成型ブロック２１の控壁２３の先端面と土壌面１０との間のコンクリート１２中に埋設されており、各前方突き出し部１１ｂ，１１ｂ・・は、成型ブロック２１，２１・・の各控壁２３，２３間に進入した状態でコンクリート１２中に埋設されている。
【００３７】
図１及び図２に示す擁壁は、図３に示すようにして構築される。尚、擁壁構築場所には、図３に示すように、擁壁構築用の切土部３が形成されており、この切土部３の底部に予め基礎コンクリート６が打設されている。
【００３８】
そして、図３に示す実施例の擁壁構築工法では、切土部３（基礎コンクリート６上）の所定位置に第１段目の成型ブロック２１を設置し、該成型ブロック２１の背面側に所定間隔をもって背面側枠板４を設置し、成型ブロック２１と背面側枠板４との間の空所５に１単位高さの組鉄筋１１Ａ（格子状部１１Ａａと前方突き出し部１１Ａｂとを有している）を設置する。
【００３９】
第１段目の成型ブロック２１は、１回当たりの所定個数を左右に連続して設置するが、図２に示すように各控壁２３，２３・・間には左右にかなりの幅の空所を有している。そして、成型ブロック２１と背面側枠板４間の空所５に１単位高さ（例えば高さ１００〜２００cm）の組鉄筋１１Ａを設置するが、該組鉄筋１１Ａの格子状部１１Ａａを控壁２３の先端と背面側枠板４間に設置する一方、該組鉄筋１１Ａの各前方突き出し部１１Ａｂを図２に示すように２つの控壁２３，２３間の空所に進入する状態で設置する。尚、この実施例では、１回当たりの擁壁構築高さは、成型ブロック２１の１個分の高さである。
【００４０】
次に、成型ブロック２１（前壁２２）と背面側枠板４間の空所５内に高さＨ1まで生コンクリート１２ａを充填する。そして、その充填した生コンクリート１２ａが固化した後、背面側枠板４を取外せば、第１段目の擁壁が完成する。
【００４１】
続いて同様に、第２段目の各成型ブロック２１′を既設側の成型ブロック２１上に載せ、第２段目の背面側枠板４′を設置し、空所５′内に次の１単位高さの組鉄筋１１Ａ′を設置する。尚、新設側の組鉄筋１１Ａ′は、その下部側を既設側組鉄筋１１の上部に所定高さ範囲だけオーバーラップさせた状態で設置する。そして、該空所５′内に生コンクリートを高さＨ2まで充填し、該生コンクリートが固化した後、第２段目の背面側枠板４′を取外せば、第２段目の擁壁が完成する。以下、順次同様に所定高さまで擁壁を構築することにより、図１に示すコンクリート壁体１とブロック積み壁体２からなる擁壁を構築できる。
【００４２】
この擁壁は、ブロック積み壁体２の各成型ブロック２１，２１・・の各控壁２３，２３・・がコンクリート１２中に埋設されていて、ブロック積み壁体２とコンクリート壁体１とが強固に一体化されている。又、この擁壁では、コンクリート壁体１中に組鉄筋１１が埋設されているので、コンクリート壁体１部分が補強されている。
【００４３】
ところで、この擁壁におけるコンクリート壁体１部分は、土圧力Ｆ（図１）による撓みが起こり得る性質を有しているが継ぎ目がないので部分的に前後に位置ずれすることはない。他方、ブロック積み壁体２は、多数個の成型ブロック２１，２１・・を左右・上下に接合させたものであるから前後に位置ずれし易い性質を有しているが土圧力Ｆによる撓みが起こりにくい性状となっている。
【００４４】
そして、この第１実施例の擁壁構造では、背面側の現場打ちコンクリート壁体１と前面側のブロック積み壁体２とを前後に一体結合させているので、擁壁背面側の土圧力Ｆを現場打ちコンクリート壁体１で受け止める一方、該コンクリート壁体１をブロック積み壁体２でバックアップしている。従って、現場打ちコンクリート壁体１の性質の欠点（土圧力Ｆで撓み易い）をブロック積み壁体２の利点（撓みにくい）で補完できる一方、ブロック積み壁体２の欠点（継ぎ目があるので位置ずれし易い）を現場打ちコンクリート壁体１の利点（継ぎ目がないので位置ずれしない）で補完できるので、高強度の擁壁となる。さらに、現場打ちコンクリート壁体１（土圧力により伸長作用を受ける）中には組鉄筋１１が埋設されているので、土圧力Ｆによる擁壁背面側の伸長作用に対して該組鉄筋１１が補強機能を発揮する。
【００４５】
又、背面側の現場打ちコンクリート壁体１で土圧力Ｆを支持しているので、前面側のブロック積み壁体１に使用される成型ブロック２１，２１同士は、さほど強固に連結させる必要がなく、従って該成型ブロック２１として比較的単純形状のもの（製造コストが安価となる）を使用することができる。
【００４６】
又、図３に示す擁壁構築工法によれば、前面側のブロック積み壁体２を構成する各成型ブロック２１を、生コンクリート充填用型枠の前面側枠板として利用できるので、型枠の前面側枠板が不要になるとともに、該前面側枠板の組立・分解作業も不要になる。
【００４７】
さらに、背面側枠板４は、切土部３の切土面３ａに近い位置に組立てられるので、擁壁上端寄り位置であっても背面側枠板４の組立てが高所作業にならず、他方前面側枠板として利用される各成型ブロック２１は、クレーンで吊下げて所定位置に設置するので、型枠組立時における作業員による高所作業が不要となる（高所からの転落等の危険な作業がなくなる）。
【００４８】
図４に示す第２実施例の擁壁構造は、図２の変形例を示している。この図４の擁壁構造では、各成型ブロック２１・・として、前壁２５と後壁２６と左右の各側壁２７，２７とで四角形の箱型に成形したものを使用している。この図４で使用されている成型ブロック２１には、各壁で囲われた内部空所２８が形成されているが、この内部空所２８内には、必要に応じて土壌や砕石を充填することができ、さらに高強度を必要とする場合には該内部空所２８内を鉄筋コンクリート詰めにすることもできる。又、この図４の第２実施例では、成型ブロック２１の後壁２６の左右幅を前壁２５の左右幅より若干短くして、両成型ブロック２１，２１の側壁２７，２７間に組鉄筋１１の前方突き出し部１１ｂを挿入するスペースを確保している。
【００４９】
図５に示す第３実施例の擁壁構造も、図２の変形例を示している。この図５の擁壁構造では、各成型ブロック２１として、前壁の後面側にかなり大きな中実の突出部２９を一体形成している。この場合、成型ブロック２１の形状は単純であるが、大重量となって擁壁全体の強度が大きくなる。尚、図４の第３実施例でも、両成型ブロック２１，２１の各突出部２９，２９間に組鉄筋１１の前方突き出し部１１ｂを挿入するスペースを確保している。
【図面の簡単な説明】
【００５０】
【図１】本願第１実施例の擁壁構造の縦断面図である。
【図２】図２のII−II断面図である。
【図３】図１の擁壁の構築工法の説明図である。
【図４】本願第２実施例の擁壁構造の図２相当図である。
【図５】本願第３実施例の擁壁構造の図２相当図である。
【図６】第１従来例の擁壁構造（現場打ちコンクリート擁壁）の縦断面図である。
【図７】第２従来例の擁壁構造（ブロック積み擁壁）の縦断面図である。
【図８】図７のVIII−VIII断面図である。
【符号の説明】
【００５１】
１はコンクリート壁体、２はブロック積み壁体、３は切土部、３ａは切土面、４は背面側枠板、５は空所、１１は組鉄筋、１２はコンクリート、２１はプレキャストコンクリートブロック（成型ブロック）である。
【図１】
2006283292.tif 000003
【図２】
2006283292.tif 000004
【図３】
2006283292.tif 000005
【図４】
2006283292.tif 000006
【図５】
2006283292.tif 000007
【図６】
2006283292.tif 000008
【図７】
2006283292.tif 000009
【図８】
2006283292.tif 000010